【手続補正書】
【提出日】平成26年7月7日(2014.7.7)
【手続補正１】
【補正対象書類名】特許請求の範囲
【補正対象項目名】全文
【補正方法】変更
【補正の内容】
【特許請求の範囲】
【請求項１】
セルラーネットワーク中でワイヤレス通信デバイスのプロビジョニングを制御する方法であって、
1つまたは複数のセルラーネットワークに対する1つまたは複数のワイヤレス通信デバイスのホームロケーションレジスタにおけるプロビジョニングに対応するステータス情報を含む、プロビジョニングステータスデータベースを、ネットワークコンポーネントにおいて保持するステップと、
トリガ事象に応答して、前記ホームロケーションレジスタにおける前記セルラーネットワークに対する前記ワイヤレス通信デバイスのプロビジョニングまたはプロビジョニング解除を開始するステップであって、前記セルラーネットワークに対する前記ワイヤレス通信デバイスのプロビジョニングが、複数のワイヤレス通信デバイスおよび複数のセルラーネットワークのための複数のプロビジョニングデータを有するマスターデータベースから、前記ワイヤレス通信デバイスのデバイス識別子および前記セルラーネットワークのネットワーク識別子に対応するプロビジョニングデータを取得するステップを含む、ステップと、
前記ワイヤレス通信デバイスが前記セルラーネットワークに接続するための要求に対応するシグナリングを受信するステップであって、前記シグナリングが、前記ワイヤレス通信デバイスに対応する前記デバイス識別子と、前記セルラーネットワークに対応する前記ネットワーク識別子とを含み、前記要求に対応する前記シグナリングが、前記トリガ事象を含む、ステップと、
前記要求に応答して、かつ、前記デバイス識別子および前記ネットワーク識別子に基づいて、前記ワイヤレス通信デバイスが前記ホームロケーションレジスタにおいてプロビジョニングされていないことを、前記プロビジョニングステータスデータベース中の前記ステータス情報から判定するステップであって、プロビジョニングまたはプロビジョニング解除を開始するステップが、前記ホームロケーションレジスタに宛てられたプロビジョニングメッセージを送信するステップを含み、前記プロビジョニングメッセージが、前記プロビジョニングデータと前記デバイス識別子とを含む、ステップと
を含む、方法。
【請求項２】
前記プロビジョニングメッセージが、前記セルラーネットワーク上の前記ワイヤレス通信デバイスのためのプロビジョニング記録の、前記ホームロケーションレジスタにおける作成を開始する、請求項1に記載の方法。
【請求項３】
前記ワイヤレス通信デバイスのためのプロビジョニングデータを受信するステップと、
前記ホームロケーションレジスタにおける前記プロビジョニングの開始を引き起こす前記トリガ事象の発生まで、記憶のために前記プロビジョニングデータをマスターデータベースに送信するステップとをさらに含む、請求項1に記載の方法。
【請求項４】
前記ワイヤレス通信デバイスから受信されたプロビジョニングデータのクエリに応答して、前記プロビジョニングデータの少なくとも一部を前記ワイヤレス通信デバイスに送信するステップをさらに含む、請求項3に記載の方法。
【請求項５】
前記ホームロケーションレジスタが、複数の異なるネットワークキャリアに対応する複数のプロビジョニングデータを記憶するように構成される、請求項1に記載の方法。
【請求項６】
前記プロビジョニングステータスデータベースが、デバイス識別子フィールドとネットワーク識別子フィールドとを含む、請求項1に記載の方法。
【請求項７】
前記ワイヤレス通信デバイスに対応するサブスクリプションデータを受信するステップをさらに含む、請求項1に記載の方法。
【請求項８】
マスターデータベースに、前記ワイヤレス通信デバイスに対応する前記サブスクリプションデータを記憶するステップをさらに含む、請求項7に記載の方法。
【請求項９】
前記ワイヤレス通信デバイスに対応する修正されたサブスクリプションデータを受信するステップと、
前記マスターデータベースに、前記ワイヤレス通信デバイスに対応する前記修正されたサブスクリプションデータを記憶するステップとをさらに含む、請求項8に記載の方法。
【請求項１０】
セルラーネットワーク中でワイヤレス通信デバイスのプロビジョニングを制御する方法であって、
1つまたは複数のセルラーネットワークに対する1つまたは複数のワイヤレス通信デバイスのホームロケーションレジスタにおけるプロビジョニングに対応するステータス情報を含む、プロビジョニングステータスデータベースを、ネットワークコンポーネントにおいて保持するステップと、
トリガ事象に応答して、前記ホームロケーションレジスタにおける前記セルラーネットワークに対する前記ワイヤレス通信デバイスのプロビジョニングまたはプロビジョニング解除を開始するステップであって、前記ワイヤレス通信デバイスのプロビジョニングが、複数のワイヤレス通信デバイスおよび複数のセルラーネットワークのための複数のプロビジョニングデータを有するマスターデータベースから、前記ワイヤレス通信デバイスのデバイス識別子および前記セルラーネットワークのネットワーク識別子に対応するプロビジョニングデータを取得するステップを含む、ステップと、
プロビジョニング解除の条件の発生を判定するステップであって、前記プロビジョニング解除の条件の前記発生が、前記トリガ事象を含み、プロビジョニングまたはプロビジョニング解除を開始するステップが、前記ホームロケーションレジスタに宛てられたプロビジョニング解除メッセージを送信するステップを含み、前記プロビジョニング解除メッセージが、前記セルラーネットワーク上の前記ワイヤレス通信デバイスのためのプロビジョニングデータを含むプロビジョニング記録を、前記ホームロケーションレジスタから除去するのを開始する、ステップと
を含む、方法。
【請求項１１】
前記プロビジョニング解除の条件の前記発生を判定するステップが、前記ホームロケーションレジスタにプロビジョニング記録を記憶するための容量が容量閾値レベルに達したと判定するステップを含む、請求項10に記載の方法。
【請求項１２】
前記プロビジョニング解除の条件の前記発生を判定するステップが、前記セルラーネットワーク上での前記ワイヤレス通信デバイスの非アクティブ性が、非アクティブ閾値レベルに達したと判定するステップを含む、請求項10に記載の方法。
【請求項１３】
前記プロビジョニング解除の条件の前記発生を判定するステップが、前記ワイヤレス通信デバイスが前記セルラーネットワークから切断するための要求に対応するシグナリングを受信するステップを含み、前記シグナリングが、前記ワイヤレス通信デバイスに対応するデバイス識別子と、前記セルラーネットワークに対応するネットワーク識別子とを含む、請求項10に記載の方法。
【請求項１４】
セルラーネットワーク中でワイヤレス通信デバイスのプロビジョニングを制御するように構成される少なくとも1つのプロセッサであって、
1つまたは複数のセルラーネットワークに対する1つまたは複数のワイヤレス通信デバイスのホームロケーションレジスタにおけるプロビジョニングに対応するステータス情報を含む、プロビジョニングステータスデータベースを、ネットワークコンポーネントにおいて保持するための第1のモジュールと、
トリガ事象に応答して、前記ホームロケーションレジスタにおける前記セルラーネットワークに対する前記ワイヤレス通信デバイスのプロビジョニングまたはプロビジョニング解除を開始するための第2のモジュールであって、前記セルラーネットワークに対する前記ワイヤレス通信デバイスのプロビジョニングを開始するための前記モジュールが、複数のワイヤレス通信デバイスおよび複数のセルラーネットワークのための複数のプロビジョニングデータを有するマスターデータベースから、前記ワイヤレス通信デバイスのデバイス識別子および前記セルラーネットワークのネットワーク識別子に対応するプロビジョニングデータを取得するように構成される、第2のモジュールと、
前記ワイヤレス通信デバイスが前記セルラーネットワークに接続するための要求に対応するシグナリングを受信するための第3のモジュールであって、前記シグナリングが、前記ワイヤレス通信デバイスに対応する前記デバイス識別子と、前記セルラーネットワークに対応する前記ネットワーク識別子とを含み、前記要求に対応する前記シグナリングが、前記トリガ事象を含む、第3のモジュールと、
前記要求に応答して、かつ、前記デバイス識別子および前記ネットワーク識別子に基づいて、前記ワイヤレス通信デバイスが前記ホームロケーションレジスタにおいてプロビジョニングされていないことを、前記プロビジョニングステータスデータベース中の前記ステータス情報から判定するための第4のモジュールであって、プロビジョニングまたはプロビジョニング解除を開始するステップが、前記ホームロケーションレジスタに宛てられたプロビジョニングメッセージを送信するステップを含み、前記プロビジョニングメッセージが、前記プロビジョニングデータと前記デバイス識別子とを含む、第4のモジュールと
を含む、プロセッサ。
【請求項１５】
セルラーネットワーク中でワイヤレス通信デバイスのプロビジョニングを制御するためのコンピュータプログラムであって、
コンピュータに、1つまたは複数のセルラーネットワークに対する1つまたは複数のワイヤレス通信デバイスのホームロケーションレジスタにおけるプロビジョニングに対応するステータス情報を含む、プロビジョニングステータスデータベースを、ネットワークコンポーネントにおいて保持させるためのコードの第1のセットと、
トリガ事象に応答して、前記ホームロケーションレジスタにおける前記セルラーネットワークに対する前記ワイヤレス通信デバイスのプロビジョニングまたはプロビジョニング解除を前記コンピュータに開始させるためのコードの第2のセットであって、前記セルラーネットワークに対する前記ワイヤレス通信デバイスのプロビジョニングのための前記コードの第2のセットが、複数のワイヤレス通信デバイスおよび複数のセルラーネットワークのための複数のプロビジョニングデータを有するマスターデータベースから、前記ワイヤレス通信デバイスのデバイス識別子および前記セルラーネットワークのネットワーク識別子に対応するプロビジョニングデータを取得するように構成される、コードの第2セットと、
前記ワイヤレス通信デバイスが前記セルラーネットワークに接続するための要求に対応するシグナリングを前記コンピュータに受信させるためのコードの第3セットであって、前記シグナリングが、前記ワイヤレス通信デバイスに対応する前記デバイス識別子と、前記セルラーネットワークに対応する前記ネットワーク識別子とを含み、前記要求に対応する前記シグナリングが、前記トリガ事象を含む、コードの第3セットと、
前記要求に応答して、かつ、前記デバイス識別子および前記ネットワーク識別子に基づいて、前記ワイヤレス通信デバイスが前記ホームロケーションレジスタにおいてプロビジョニングされていないことを、前記プロビジョニングステータスデータベース中の前記ステータス情報から前記コンピュータに判定させるためのコードの第4セットであって、プロビジョニングまたはプロビジョニング解除を開始するステップが、前記ホームロケーションレジスタに宛てられたプロビジョニングメッセージを送信するステップを含み、前記プロビジョニングメッセージが、前記プロビジョニングデータと前記デバイス識別子とを含む、コードの第4セットと
を含む、コンピュータプログラム。
【請求項１６】
セルラーネットワーク中でワイヤレス通信デバイスのプロビジョニングを制御するための装置であって、
1つまたは複数のセルラーネットワークに対する1つまたは複数のワイヤレス通信デバイスのホームロケーションレジスタにおけるプロビジョニングに対応するステータス情報を含む、プロビジョニングステータスデータベースを、ネットワークコンポーネントにおいて保持するための手段と、
トリガ事象に応答して、前記ホームロケーションレジスタにおける前記セルラーネットワークに対する前記ワイヤレス通信デバイスのプロビジョニングまたはプロビジョニング解除を開始するための手段であって、前記セルラーネットワークに対する前記ワイヤレス通信デバイスのプロビジョニングを開始するための前記手段が、複数のワイヤレス通信デバイスおよび複数のセルラーネットワークのための複数のプロビジョニングデータを有するマスターデータベースから、前記ワイヤレス通信デバイスのデバイス識別子および前記セルラーネットワークのネットワーク識別子に対応するプロビジョニングデータを取得することによって、前記ワイヤレス通信デバイスのプロビジョニングを開始するように動作可能である、手段と、
前記ワイヤレス通信デバイスが前記セルラーネットワークに接続するための要求に対応するシグナリングを受信するための手段であって、前記シグナリングが、前記ワイヤレス通信デバイスに対応する前記デバイス識別子と、前記セルラーネットワークに対応する前記ネットワーク識別子とを含み、前記要求に対応する前記シグナリングが、前記トリガ事象を含む、手段と、
前記要求に応答して、かつ、前記デバイス識別子および前記ネットワーク識別子に基づいて、前記ワイヤレス通信デバイスが前記ホームロケーションレジスタにおいてプロビジョニングされていないことを、前記プロビジョニングステータスデータベース中の前記ステータス情報から判定するための手段であって、プロビジョニングまたはプロビジョニング解除を開始するステップが、前記ホームロケーションレジスタに宛てられたプロビジョニングメッセージを送信するステップを含み、前記プロビジョニングメッセージが、前記プロビジョニングデータと前記デバイス識別子とを含む、手段と
を含む、
装置。
【請求項１７】
セルラーネットワーク中でワイヤレス通信デバイスのプロビジョニングを制御するための装置であって、
1つまたは複数のセルラーネットワークに対する1つまたは複数のワイヤレス通信デバイスのホームロケーションレジスタにおけるプロビジョニングに対応するステータス情報を保持するように動作可能な、プロビジョニングステータスデータベースと、
トリガ事象に応答して、前記ホームロケーションレジスタにおける前記セルラーネットワークに対する前記ワイヤレス通信デバイスのプロビジョニングまたはプロビジョニング解除を開始するように動作可能な、ホームロケーションレジスタマネージャコンポーネントと、
複数のワイヤレス通信デバイスおよび複数のセルラーネットワークのための複数のプロビジョニングデータを有するマスターデータベースから、前記ワイヤレス通信デバイスのデバイス識別子および前記セルラーネットワークのネットワーク識別子に対応するプロビジョニングデータを取得することによって、前記セルラーネットワークに対する前記ワイヤレス通信デバイスをプロビジョニングするように動作可能なアクティブ化エンジンと
を含み、
前記アクティブ化エンジンがさらに、前記ワイヤレス通信デバイスが前記セルラーネットワークに接続するための要求に対応するシグナリングを受信するように動作可能であり、前記シグナリングが、前記ワイヤレス通信デバイスに対応する前記デバイス識別子と、前記セルラーネットワークに対応する前記ネットワーク識別子とを含み、前記要求に対応する前記シグナリングが、前記トリガ事象を含み、前記アクティブ化エンジンがさらに、前記要求に応答して、かつ、前記デバイス識別子および前記ネットワーク識別子に基づいて、前記ワイヤレス通信デバイスが前記ホームロケーションレジスタにおいてプロビジョニングされていないことを、前記プロビジョニングステータスデータベース中の前記ステータス情報から判定するように動作可能である、装置。
【請求項１８】
前記ホームロケーションレジスタマネージャコンポーネントがさらに、前記ホームロケーションレジスタに宛てられたプロビジョニングメッセージを送信するように動作可能であり、前記プロビジョニングメッセージが、前記プロビジョニングデータと前記デバイス識別子とを含む、請求項17に記載の装置。
【請求項１９】
前記プロビジョニングメッセージが、前記セルラーネットワーク上の前記ワイヤレス通信デバイスのためのプロビジョニング記録の、前記ホームロケーションレジスタにおける作成を開始する、請求項18に記載の装置。
【請求項２０】
前記アクティブ化エンジンがさらに、前記ワイヤレス通信デバイスのためのプロビジョニングデータを受信し、前記ホームロケーションレジスタにおける前記プロビジョニングの開始を引き起こす前記トリガ事象が発生するまで、記憶のために前記プロビジョニングデータをマスターデータベースに送信するように動作可能である、請求項17に記載の装置。
【請求項２１】
前記アクティブ化エンジンがさらに、前記ワイヤレス通信デバイスから受信されたプロビジョニングデータのクエリに応答して、前記プロビジョニングデータの少なくとも一部を前記ワイヤレス通信デバイスに送信するように動作可能である、請求項20に記載の装置。
【請求項２２】
前記ホームロケーションレジスタが、複数の異なるネットワークキャリアに対応する複数のプロビジョニングデータを記憶するように構成される、請求項17に記載の装置。
【請求項２３】
前記プロビジョニングステータスデータベースが、デバイス識別子フィールドとネットワーク識別子フィールドとを含む、請求項17に記載の装置。
【請求項２４】
前記アクティブ化エンジンがさらに、前記ワイヤレス通信デバイスに対応するサブスクリプションデータを受信するように動作可能である、請求項17に記載の装置。
【請求項２５】
前記アクティブ化エンジンがさらに、マスターデータベースに、前記ワイヤレス通信デバイスに対応する前記サブスクリプションデータを記憶するように動作可能である、請求項24に記載の装置。
【請求項２６】
前記アクティブ化エンジンがさらに、前記ワイヤレス通信デバイスに対応する修正されたサブスクリプションデータを受信し、前記マスターデータベースに、前記ワイヤレス通信デバイスに対応する前記修正されたサブスクリプションデータを記憶するように動作可能である、請求項25に記載の装置。
【請求項２７】
セルラーネットワーク中でワイヤレス通信デバイスのプロビジョニングを制御するための装置であって、
1つまたは複数のセルラーネットワークに対する1つまたは複数のワイヤレス通信デバイスのホームロケーションレジスタにおけるプロビジョニングに対応するステータス情報を保持するように動作可能な、プロビジョニングステータスデータベースと、
トリガ事象に応答して、前記ホームロケーションレジスタにおける前記セルラーネットワークに対する前記ワイヤレス通信デバイスのプロビジョニングまたはプロビジョニング解除を開始するように動作可能な、ホームロケーションレジスタマネージャコンポーネントと、
複数のワイヤレス通信デバイスおよび複数のセルラーネットワークのための複数のプロビジョニングデータを有するマスターデータベースから、前記ワイヤレス通信デバイスのデバイス識別子および前記セルラーネットワークのネットワーク識別子に対応するプロビジョニングデータを取得することによって、前記セルラーネットワークに対する前記ワイヤレス通信デバイスをプロビジョニングするように動作可能なアクティブ化エンジンと
を含み、
前記アクティブ化エンジンがさらに、プロビジョニング解除の条件の発生を判定するように動作可能であり、前記プロビジョニング解除の条件の前記発生が、前記トリガ事象を含み、前記ホームロケーションレジスタマネージャコンポーネントがさらに、前記ホームロケーションレジスタに宛てられたプロビジョニング解除メッセージを送信するように動作可能であり、前記プロビジョニング解除メッセージが、前記セルラーネットワーク上の前記ワイヤレス通信デバイスのためのプロビジョニングデータを含むプロビジョニング記録を、前記ホームロケーションレジスタから除去するのを開始する、装置。
【請求項２８】
前記プロビジョニング解除の条件の前記発生を判定するステップが、前記ホームロケーションレジスタにプロビジョニング記録を記憶するための容量が容量閾値レベルに達したと判定するステップを含む、請求項27に記載の装置。
【請求項２９】
前記プロビジョニング解除の条件の前記発生を判定するステップが、前記セルラーネットワーク上での前記ワイヤレス通信デバイスの非アクティブ性が、非アクティブ閾値レベルに達したと判定するステップを含む、請求項27に記載の装置。
【請求項３０】
前記プロビジョニング解除の条件の前記発生を判定するステップが、前記ワイヤレス通信デバイスが前記セルラーネットワークから切断するための要求に対応するシグナリングを受信するステップを含み、前記シグナリングが、前記ワイヤレス通信デバイスに対応するデバイス識別子と、前記セルラーネットワークに対応するネットワーク識別子とを含む、請求項27に記載の装置。